【手続補正書】
【提出日】平成17年11月24日(2005.11.24)
【手続補正１】
【補正対象書類名】明細書
【補正対象項目名】請求項１
【補正方法】変更
【補正の内容】
【請求項１】  遊技機を駆動するための電源からの電力供給の有無によらずデータを記憶可能な記憶手段と、ＲＡＭと、遊技状態を制御する遊技制御手段と、前記遊技制御手段と一方向通信により接続し且つ前記遊技制御手段からの制御コマンドに基づいて動作する周辺装置とを備え、前記制御コマンドは、当該制御コマンドの分類を識別するためのデータと、当該制御コマンドの実行内容を示すデータとからなり、前記遊技制御手段は、コマンド変化時に自身が生成するストローブ信号の１つ目の立ち上がりを契機として、前記分類を識別するためのデータを出力ポートを介して出力し、前記ストローブ信号の２つ目の立ち上がりを契機として、前記実行内容を示すデータを前記出力ポートを介して出力することにより前記制御コマンドを前記周辺装置に出力し、前記周辺装置への制御コマンドを前記記憶手段に記憶し、前記電源からの電力投入時には、前記記憶手段の制御コマンドに基づいて、停電直前に前記周辺装置に出力した制御コマンドの次に出力すべき制御コマンドから出力を開始する遊技機であって、
前記遊技制御手段は、前記制御コマンドが前記記憶手段に格納されているか否か及び前記ＲＡＭのクリアスイッチがオンか否かを電源投入時に判定し、前記制御コマンドが前記記憶手段に格納されており且つ前記クリアスイッチがオンでないと判定したときは、電源復帰情報に続けて所定の前記制御コマンドを前記出力ポートを介して出力し、その後、前記次に出力すべき制御コマンドを前記ＲＡＭの所定エリアに格納して前記出力ポートを介して出力し、前記制御コマンドが前記記憶手段に格納されていないと判定したときは、前記記憶手段の記憶エリアのクリア処理を実行するようになっており、
前記周辺装置は、前記電源復帰情報を入力したか否かを判定し、前記電源復帰情報を入力したと判定したときは、当該電源復帰情報に続けて入力される前記所定の制御コマンドに基づいて電源復帰後処理を実行するようになっていることを特徴とする遊技機。
【手続補正２】
【補正対象書類名】明細書
【補正対象項目名】請求項２
【補正方法】変更
【補正の内容】
【請求項２】  遊技機を駆動するための電源からの電力供給の有無によらずデータを記憶可能な記憶手段と、ＲＡＭと、遊技状態を制御する遊技制御手段と、前記遊技制御手段と一方向通信により接続し且つ前記遊技制御手段からの複数の制御コマンドからなる制御コマンド群に基づいて遊技状態に関する表示を行う表示装置とを備え、前記制御コマンドは、当該制御コマンドの分類を識別するためのデータと、当該制御コマンドの実行内容を示すデータとからなり、前記遊技制御手段は、コマンド変化時に自身が生成するストローブ信号の１つ目の立ち上がりを契機として、前記分類を識別するためのデータを出力ポートを介して出力し、前記ストローブ信号の２つ目の立ち上がりを契機として、前記実行内容を示すデータを前記出力ポートを介して出力することにより前記制御コマンドを前記表示装置に出力し、前記表示装置への制御コマンドを前記記憶手段に記憶し、前記電源からの電力投入時には、前記記憶手段の制御コマンドに基づいて、停電直前に前記表示装置に出力した制御コマンドの次に出力すべき制御コマンドから出力を開始する遊技機であって、
前記遊技制御手段は、前記制御コマンドが前記記憶手段に格納されているか否か及び前記ＲＡＭのクリアスイッチがオンか否かを電源投入時に判定し、前記制御コマンドが前記記憶手段に格納されており且つ前記クリアスイッチがオンでないと判定したときは、電源復帰情報に続けて所定の前記制御コマンド群を前記出力ポートを介して出力し、その後、前記次に出力すべき制御コマンドを前記ＲＡＭの所定エリアに格納して前記出力ポートを介して出力し、前記制御コマンドが前記記憶手段に格納されていないと判定したときは、前記記憶手段の記憶エリアのクリア処理を実行するようになっており、
前記表示装置は、前記電源復帰情報を入力したか否かを判定し、前記電源復帰情報を入力したと判定したときは、当該電源復帰情報に続けて入力される前記所定の制御コマンド群に基づいて電源復帰後処理を実行するようになっていることを特徴とする遊技機。
【手続補正３】
【補正対象書類名】明細書
【補正対象項目名】０００８
【補正方法】変更
【補正の内容】
【０００８】
【課題を解決するための手段】
前記目的を達成するために、請求項１に記載の遊技機は、遊技機を駆動するための電源からの電力供給の有無によらずデータを記憶可能な記憶手段と、ＲＡＭと、遊技状態を制御する遊技制御手段と、前記遊技制御手段と一方向通信により接続し且つ前記遊技制御手段からの制御コマンドに基づいて動作する周辺装置とを備え、前記制御コマンドは、当該制御コマンドの分類を識別するためのデータと、当該制御コマンドの実行内容を示すデータとからなり、前記遊技制御手段は、コマンド変化時に自身が生成するストローブ信号の１つ目の立ち上がりを契機として、前記分類を識別するためのデータを出力ポートを介して出力し、前記ストローブ信号の２つ目の立ち上がりを契機として、前記実行内容を示すデータを前記出力ポートを介して出力することにより前記制御コマンドを前記周辺装置に出力し、前記周辺装置への制御コマンドを前記記憶手段に記憶し、前記電源からの電力投入時には、前記記憶手段の制御コマンドに基づいて、停電直前に前記周辺装置に出力した制御コマンドの次に出力すべき制御コマンドから出力を開始する遊技機であって、前記遊技制御手段は、前記制御コマンドが前記記憶手段に格納されているか否か及び前記ＲＡＭのクリアスイッチがオンか否かを電源投入時に判定し、前記制御コマンドが前記記憶手段に格納されており且つ前記クリアスイッチがオンでないと判定したときは、電源復帰情報に続けて所定の前記制御コマンドを前記出力ポートを介して出力し、その後、前記次に出力すべき制御コマンドを前記ＲＡＭの所定エリアに格納して前記出力ポートを介して出力し、前記制御コマンドが前記記憶手段に格納されていないと判定したときは、前記記憶手段の記憶エリアのクリア処理を実行するようになっており、前記周辺装置は、前記電源復帰情報を入力したか否かを判定し、前記電源復帰情報を入力したと判定したときは、当該電源復帰情報に続けて入力される前記所定の制御コマンドに基づいて電源復帰後処理を実行するようになっている。
【手続補正４】
【補正対象書類名】明細書
【補正対象項目名】０００９
【補正方法】変更
【補正の内容】
【０００９】
このような構成であれば、遊技制御手段により、制御コマンドが周辺装置に出力されるとともに、周辺装置への制御コマンドが記憶手段に記憶され、周辺装置により、制御コマンドに基づいて遊技状態に関する表示が行われる。制御コマンドの出力は、ストローブ信号の１つ目の立ち上がりを契機として、分類を識別するためのデータが出力ポートを介して出力され、ストローブ信号の２つ目の立ち上がりを契機として、実行内容を示すデータが出力ポートを介して出力されることにより行われる。
そして、停電等により電源からの電力が遮断された場合に、停電から復帰して電源投入時には、遊技制御手段により、制御コマンドが記憶手段に格納されているか否か及びＲＡＭのクリアスイッチがオンか否かが判定される。その結果、制御コマンドが記憶手段に格納されており且つクリアスイッチがオンでないと判定されると、電源復帰情報に続けて所定の制御コマンドが周辺装置に出力される。周辺装置では、電源復帰情報が入力されると、その電源復帰情報に続けて入力される所定の制御コマンドに基づいて電源復帰後処理が実行される。その後、遊技制御手段により、停電直前に周辺装置に出力した制御コマンドの次に出力すべき制御コマンドがＲＡＭの所定エリアに格納されて出力ポートを介して出力される。
一方、制御コマンドが記憶手段に格納されていないと判定されると、遊技制御手段により、記憶手段の記憶エリアのクリア処理が実行される。
【手続補正５】
【補正対象書類名】明細書
【補正対象項目名】００１２
【補正方法】変更
【補正の内容】
【００１２】
また、請求項２記載の遊技機は、遊技機を駆動するための電源からの電力供給の有無によらずデータを記憶可能な記憶手段と、ＲＡＭと、遊技状態を制御する遊技制御手段と、前記遊技制御手段と一方向通信により接続し且つ前記遊技制御手段からの複数の制御コマンドからなる制御コマンド群に基づいて遊技状態に関する表示を行う表示装置とを備え、前記制御コマンドは、当該制御コマンドの分類を識別するためのデータと、当該制御コマンドの実行内容を示すデータとからなり、前記遊技制御手段は、コマンド変化時に自身が生成するストローブ信号の１つ目の立ち上がりを契機として、前記分類を識別するためのデータを出力ポートを介して出力し、前記ストローブ信号の２つ目の立ち上がりを契機として、前記実行内容を示すデータを前記出力ポートを介して出力することにより前記制御コマンドを前記表示装置に出力し、前記表示装置への制御コマンドを前記記憶手段に記憶し、前記電源からの電力投入時には、前記記憶手段の制御コマンドに基づいて、停電直前に前記表示装置に出力した制御コマンドの次に出力すべき制御コマンドから出力を開始する遊技機であって、前記遊技制御手段は、前記制御コマンドが前記記憶手段に格納されているか否か及び前記ＲＡＭのクリアスイッチがオンか否かを電源投入時に判定し、前記制御コマンドが前記記憶手段に格納されており且つ前記クリアスイッチがオンでないと判定したときは、電源復帰情報に続けて所定の前記制御コマンド群を前記出力ポートを介して出力し、その後、前記次に出力すべき制御コマンドを前記ＲＡＭの所定エリアに格納して前記出力ポートを介して出力し、前記制御コマンドが前記記憶手段に格納されていないと判定したときは、前記記憶手段の記憶エリアのクリア処理を実行するようになっており、前記表示装置は、前記電源復帰情報を入力したか否かを判定し、前記電源復帰情報を入力したと判定したときは、当該電源復帰情報に続けて入力される前記所定の制御コマンド群に基づいて電源復帰後処理を実行するようになっている。
【手続補正６】
【補正対象書類名】明細書
【補正対象項目名】００１３
【補正方法】変更
【補正の内容】
【００１３】
このような構成であれば、遊技制御手段により、複数の制御コマンドからなる制御コマンド群が表示装置に出力されるとともに、表示装置への制御コマンドが記憶手段に記憶され、表示装置により、制御コマンド群に基づいて遊技状態に関する表示が行われる。制御コマンドの出力は、ストローブ信号の１つ目の立ち上がりを契機として、分類を識別するためのデータが出力ポートを介して出力され、ストローブ信号の２つ目の立ち上がりを契機として、実行内容を示すデータが出力ポートを介して出力されることにより行われる。
そして、停電等により電源からの電力が遮断された場合に、停電から復帰して電源投入時には、遊技制御手段により、制御コマンドが記憶手段に格納されているか否か及びＲＡＭのクリアスイッチがオンか否かが判定される。その結果、制御コマンドが記憶手段に格納されており且つクリアスイッチがオンでないと判定されると、電源復帰情報に続けて所定の制御コマンド群が表示装置に出力される。表示装置では、電源復帰情報が入力されると、その電源復帰情報に続けて入力される所定の制御コマンド群に基づいて電源復帰後処理が実行される。その後、遊技制御手段により、停電直前に表示装置に出力した制御コマンドの次に出力すべき制御コマンドがＲＡＭの所定エリアに格納されて出力ポートを介して出力される。
一方、制御コマンドが記憶手段に格納されていないと判定されると、遊技制御手段により、記憶手段の記憶エリアのクリア処理が実行される。
【手続補正７】
【補正対象書類名】明細書
【補正対象項目名】００２４
【補正方法】変更
【補正の内容】
【００２４】
そして、主制御部２００は、各周辺装置を制御するための制御コマンドを出力可能となっている。主制御部２００は、特に特別図柄表示装置１００、ランプ表示装置１１０（１１２）、効果音発生装置１１６及び普通図柄表示装置１０８に対しては、所定数個の制御コマンドを所定のタイミングで出力可能となっていて、これら周辺装置は、受け取った制御コマンドに基づいて、主制御部２００に頼らずに自身内のＣＰＵが細かな制御を行うようになっている。さらに、主制御部２００から周辺装置へ制御コマンドを出力するのみの一方向通信による通信形態を採っている。
【手続補正８】
【補正対象書類名】明細書
【補正対象項目名】００４０
【補正方法】変更
【補正の内容】
【００４０】
先ず、ステップＳ４０１では、復帰時の特殊識別コードを送信し、続く、ステップＳ４０２〜ステップＳ４０８にて、特別図柄表示装置１００に、特殊識別コードをヘッダとしたＡ指定コマンド〜Ｇ指定コマンドをそれぞれ送信する。ここで、Ａ指定コマンド〜Ｇ指定コマンドは、電源復帰時の特別図柄表示装置１００がする動作を指定するためのコマンドからなる。また、指定される動作とは、電源復帰後処理による動作であり、例えば、電源復帰後の必要とされる内部処理動作や所定の表示を行うための動作である。特殊識別コードが付されたこれらコマンドは、図１１に示すような伝送フォーマットとして送信される。なお、特殊識別コードは、特別図柄表示装置１００が電源復帰後処理を正常動作するための電源復帰情報をなす。
【手続補正９】
【補正対象書類名】明細書
【補正対象項目名】００４８
【補正方法】変更
【補正の内容】
【００４８】
ステップＳ５０８では、伝送フォーマットが正常か否かを判定し、伝送フォーマットが正常であると判定されたとき（Yes）は、ステップＳ５１０に移行する一方、これ以外のとき(No)は、ステップＳ５０９に移行する。ステッＳ５０９では、エラー処理を行い、ステップＳ５１０に移行する。
ステップＳ５１０では、入力コマンドセット処理として、図１４において説明した割込処理において、データ受信回路１１４０が受信したコマンドをＲＡＭ１０９０にコピーする。ここで、受信されるコマンドは、前記ステップＳ５０７にて、特殊識別コードが付されていると判定されている場合、前記図１１に示した電源復帰後処理用のコマンドであり、特殊識別コードが付されていないと判定されている場合、通常処理時のコマンド、例えば前記図１５に示した表示制御コマンドである。
【手続補正１０】
【補正対象書類名】明細書
【補正対象項目名】００６３
【補正方法】変更
【補正の内容】
【００６３】
このように構成されている場合には、電源復帰後に、主制御部２００は、周辺機器である図柄表示装置１０１に、特殊識別コードを付して、特別図柄表示用のコマンドに加えて普通図柄表示用のコマンドを送信することで、設定処理を実施する。図２３は、その設定処理の具体例を示すフローチャートである。
先ず、ステップＳ６０１では、復帰時の特殊識別コードを送信し、続く、ステップＳ６０２〜ステップＳ６０５にて、図柄表示装置１０１に、特殊識別コードをヘッダとした特別図柄用の指定コマンド列、例えばＡ指定コマンド〜Ｄ指定コマンドをそれぞれ送信する。ここで、Ａ指定コマンド〜Ｄ指定コマンドは、電源復帰時に特別図柄による表示を行うためのコマンドからなる。続いて、ステップＳ６０６〜ステップＳ６０８にて、図柄表示装置１０１に、特殊識別コードをヘッダとした特別図柄用の指定コマンド列、例えばＥ指定コマンド〜Ｇ指定コマンドをそれぞれ送信する。ここで、Ｅ指定コマンド〜Ｇ指定コマンドは、電源復帰時に普通図柄による表示を行うためのコマンドからなる。例えば、電源復帰時に変動表示により普通図柄による表示を実施する場合には、Ｅ指定コマンドは、普通図柄の変動を開始させるコマンドであり、Ｆ指定コマンドは、普通図柄左の停止図柄を示すコマンドであり、Ｇ指定コマンドは、普通図柄右の停止図柄を示すコマンドである。